(57)【特許請求の範囲】
【請求項１】
少なくとも操作部へ電力が供給される第１の消費電力状態と、少なくとも前記操作部へ電力が供給されず、前記第１の消費電力状態よりも消費電力が低い第２の消費電力状態とを有し、情報処理装置から受信した印刷ジョブを実行する印刷装置であって、
前記印刷装置に接近したユーザを認識する認識手段と、
前記認識手段によって認識されたユーザが前記印刷ジョブを送信したユーザであるかどうかを判別する判別手段と、
前記印刷装置が前記第２の消費電力状態であり、前記認識手段によって認識されたユーザが、前記印刷ジョブを送信したユーザではないと前記判別手段によって判別された場合、前記印刷装置を、前記操作部へ電力が供給されない前記第２の消費電力状態から前記操作部へ電力が供給される前記第１の消費電力状態に移行するよう制御し、前記印刷装置が前記第２の消費電力状態であり、前記認識手段によって認識されたユーザが、前記印刷ジョブを送信したユーザであると前記判別手段によって判別された場合、前記印刷装置を、前記操作部へ電力が供給されない前記第２の消費電力状態から前記操作部へ電力が供給される前記第１の消費電力状態に移行しない制御手段と、
を有することを特徴とする印刷装置。
【請求項２】
前記認識手段は、ユーザの顔情報を撮像する撮像部を有し、当該撮像部によって撮像されるユーザの顔情報を用いてユーザを認識することを特徴とする請求項１に記載の印刷装置。
【請求項３】
ユーザが操作する情報処理装置を識別する識別情報と、ユーザの顔情報とを対応づけたテーブルを記憶する記憶手段をさらに有し、
前記判別手段は、前記記憶手段に記憶されたテーブルの識別情報と、当該識別情報に対応付けられたユーザの顔情報と、前記撮像部によって撮像されたユーザの顔情報とに基づいて、前記認識手段によって認識されたユーザが、前記印刷ジョブを送信したユーザであるかどうかを判別することを特徴とする請求項２に記載の印刷装置。
【請求項４】
前記認識手段は、ユーザが携帯する携帯装置から、ユーザ情報を読み取ってユーザを認識することを特徴とする請求項１に記載の印刷装置。
【請求項５】
前記印刷装置が前記第２の消費電力状態であり、前記認識手段によって認識されたユーザが前記印刷ジョブを送信したユーザであると前記判別手段によって判別された場合、前記制御手段は、前記印刷装置の前記第２の消費電力状態を維持させることを特徴とする請求項１乃至４のいずれか１項に記載の印刷装置。
【請求項６】
前記第２の消費電力状態は、前記ユーザによって送信された印刷ジョブの実行が終了した後に、移行する状態であることを特徴とする請求項１乃至５のいずれか１項に記載の印刷装置。
【請求項７】
前記第２の消費電力状態は、前記ユーザによって送信された印刷ジョブの実行が終了した後に、前記印刷装置が新たな印刷ジョブを受け付けない状態で所定の時間が経過したことに従って移行する状態であることを特徴とする請求項６に記載の印刷装置。
【請求項８】
前記第２の消費電力状態は、前記ユーザによって送信された印刷ジョブの実行が終了した後に、前記印刷装置がユーザによる操作を受け付けない状態で所定の時間が経過したことに従って移行する状態であることを特徴とする請求項６に記載の印刷装置。
【請求項９】
少なくとも操作部へ電力が供給される第１の消費電力状態と、少なくとも前記操作部へ電力が供給されず、前記第１の消費電力状態よりも消費電力が低い第２の消費電力状態とを有し、情報処理装置から受信した印刷ジョブを実行する印刷装置の制御方法であって、
前記印刷装置に接近したユーザを認識する認識工程と、
前記認識工程にて認識されたユーザが前記印刷ジョブを送信したユーザであるかどうかを判別する判別工程と、
前記印刷装置が前記第２の消費電力状態であり、前記認識工程にて認識されたユーザが、前記印刷ジョブを送信したユーザではないと前記判別工程にて判別された場合、前記印刷装置を、前記操作部へ電力が供給されない前記第２の消費電力状態から前記操作部へ電力が供給される前記第１の消費電力状態に移行するよう制御し、前記印刷装置が前記第２の消費電力状態であり、前記認識工程にて認識されたユーザが、前記印刷ジョブを送信したユーザであると前記判別工程にて判別された場合、前記印刷装置を、前記操作部へ電力が供給されない前記第２の消費電力状態から前記操作部へ電力が供給される前記第１の消費電力状態に移行しない制御工程と、
を有することを特徴とする印刷装置の制御方法。
【請求項１０】
請求項９に記載の印刷装置の制御方法をコンピュータに実行させることを特徴とするプログラム。
【発明の詳細な説明】
【技術分野】
【０００１】
本発明は、印刷装置、印刷装置の制御方法、及びプログラムに関するものである。
【背景技術】
【０００２】
従来、印刷ジョブの実行が完了した後、あるいは、ユーザから所定の時間操作を受付けない場合に、通常消費電力状態よりも消費電力の低い低消費電力状態に移行する印刷装置がある。このような印刷装置によれば、低消費電力状態にある場合に、操作部に供給する電力や、定着器に供給する電力を低く抑えることができる。
また、従来、ユーザが接近したことを検知して低消費電力状態から通常消費電力状態に自動的に復帰する技術がある（特許文献１を参照）。それによって、ユーザが、印刷装置を低消費電力状態から通常消費電力状態に復帰させるための指示をせずとも、印刷装置を通常消費電力状態に復帰させることができるため、ユーザにとって利便性が向上する。
【先行技術文献】
【特許文献】
【０００３】
【特許文献１】特開平１１−２０２６９０号公報
【発明の概要】
【発明が解決しようとする課題】
【０００４】
しかしながら、従来の印刷装置は、ユーザが、印刷装置を操作する目的ではなく、排紙された印刷物を手に入れる目的で印刷装置に接近した場合にも、通常消費電力状態に復帰してしまっていた。そのため、ユーザが印刷物を取りに来るたびに、通常消費電力状態に復帰し、低消費電力状態に移行できる期間が短くなり、消費電力を充分に小さく抑えることができていなかった。
本発明は、上記の課題を解決するためになされたものである。本発明の目的は、印刷装置の利便性を向上させつつ、当該印刷装置における消費電力を小さく抑えることができる仕組みを提供することである。
【課題を解決するための手段】
【０００５】
上記目的を達成する本発明の印刷装置は以下に示す構成を有する。
少なくとも操作部へ電力が供給される第１の消費電力状態と、少なくとも前記操作部へ電力が供給されず、第１の消費電力状態よりも消費電力が低い第２の消費電力状態とを有し、情報処理装置から受信した印刷ジョブを実行する印刷装置であって、印刷装置に接近したユーザを認識する認識手段と、認識手段によって認識されたユーザが印刷ジョブを送信したユーザであるかどうかを判別する判別手段と、印刷装置が第２の消費電力状態であり、認識手段によって認識されたユーザが、印刷ジョブを送信したユーザではないと判別手段によって判別された場合、印刷装置を、操作部へ電力が供給されない第２の消費電力状態から操作部へ電力が供給される第１の消費電力状態に移行するよう制御し、印刷装置が第２の消費電力状態であり、認識手段によって認識されたユーザが、印刷ジョブを送信したユーザであると判別手段によって判別された場合、印刷装置を、操作部へ電力が供給されない第２の消費電力状態から操作部へ電力が供給される第１の消費電力状態に移行しない制御手段とを有することを特徴とする。
【発明の効果】
【０００６】
本発明によれば、印刷装置の利便性を向上させつつ、当該印刷装置における消費電力を小さく抑えることができる。
【図面の簡単な説明】
【０００７】
【図１】本発明に係る画像形成装置の概略構成を示すブロック図である。
【図２】ユーザ情報管理テーブルの一例を示す図である。
【図３】画像形成装置の電力制御を示すフローチャートである。
【図４】個人特定認証部の他の構成例を説明するブロック図である。
【図５】ユーザ情報管理テーブルの一例を示す図である。
【図６】画像形成装置の電力制御を示すフローチャートである。
【発明を実施するための形態】
【０００８】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
＜システム構成の説明＞
〔第１実施形態〕
図１は、本発明の第１実施形態に係る印刷装置として機能する画像形成装置１０１の概略構成を示すブロック図である。本例は、情報処理装置として機能するコンピュータ端末１１７がネットワークに接続され、各コンピュータ端末１１７が発行した印刷ジョブを処理する画像形成システム（印刷システム）例である。なお、各コンピュータ端末１１７を操作するユーザ情報は、後述する図２に示すテーブルにおいてユーザ情報とコンピュータ端末の情報とが対応付けられて管理されている。
【０００９】
図１において、画像形成装置１０１は、画像入力デバイスであるスキャナ部１０２、画像出力デバイスであるプリンタ部１０３、画像処理及び画像形成動作の制御などを行うコントローラ１０４を備える。また、画像形成装置１０１は、操作部１０８、個人特定認証部１１０、電源制御部１１６を備える。
【００１０】
スキャナ部１０２は、原稿の画像を読取り、読み取られた画像に基づいて画像データを生成する。プリンタ部１０３は、給紙部及び排紙部を備え、給紙部にセットされたシートに対して、画像データに基づいた印刷を行い、印刷されたシートを排紙部に排紙する。
コントローラ１０４は、ＣＰＵ１０５、メモリ１０６、インタフェース１０７、ＨＤＤ１０９を備える。また、コントローラ１０４は、ＬＡＮなどのインタフェース１０７を介して外部機器であるコンピュータ端末１１７と接続されており、コンピュータ端末１１７から印刷ジョブを受信する。印刷ジョブには、コンピュータ端末１１７にて設定された印刷設定情報と、コンピュータ端末１１７のアプリケーションプログラムを用いて作成された印刷データとを含む。また、コントローラ１０４は、印刷ジョブを受信する場合に、コンピュータ端末１１７を識別するための情報としてＩＰアドレスを示す情報も受信する。
ＣＰＵ１０５は、メモリ１０６に記憶されたプログラムに基づいて画像形成装置１０１全体の制御を行う。メモリ１０６は、ＣＰＵ１０５の作業領域として機能するＤＲＡＭや、ＣＰＵ１０５によって読み出されるプログラムを記憶するＲＯＭなどからなるメモリ１０６とを備えている。
操作部１０８は、画像形成装置１０１に対する操作者（ユーザ）の指示を受付ける。また、操作部１０８は、操作画面や、装置の状態を表示する表示部としても機能する。
【００１１】
ＨＤＤ１０９は、外部のコンピュータ端末１１７からインタフェース１０７を介して受信した印刷ジョブを保存する。また、ＨＤＤ１０９は、スキャナ部１０２によって読み取られた画像データや、操作部１０８を介して受付けた画像形成装置１０１の設定情報等、各種データを保存する。
個人特定認証部１１０は、撮像部の一例であるカメラ１１１と顔認証部１１２とを有する。また、顔認証部１１２は、顔認証制御部１１３、モーションキャプチャ部１１４、顔認証データ保存部１１５とを有している。
【００１２】
顔認証制御部１１３はカメラ１１１により操作者の顔を撮像し、撮像された顔を示す顔データを生成し、その顔データに基づいて顔認証機能を実現する。ここで、顔認識手段、顔認証手段としては公知の技術を用いることができる。
モーションキャプチャ部１１４には、カメラ１１１で撮影された画像が示すデータに対してモーションキャプチャを行うモーションキャプチャ機能を実現するための制御プログラムが保存されている。顔認証データ保存部１１５は、予め設定されたモーションを示すモーションデータ（ユーザの顔情報）を保存する。
【００１３】
この予め定められたモーションは、例えば、人がカメラ１１１方向に近づくという動作などである。なお、人が画像形成装置１０１に対して近づくという動作は、目線がカメラ１１１の方向に向いていることを示すものである。
また、顔認証データ保存部１１５に保存されるモーションデータは、１種類でなくても、複数種類のモーションデータを保存するように構成しても良い。さらに、顔認証データ保存部１１５には、予め装置を使用する操作者の顔データを登録しておく。
また、この顔データは、図２に示すように各操作者の顔データと、操作者ＩＤと、操作者名を示す操作者名データと、各コンピュータ端末１１７のＰＣ名やＩＰアドレス、後述する持ち出しフラグなどが対応付けられて保存されている。
【００１４】
カメラ１１１は、例えば、ビデオカメラであり、画像形成装置１０１の周辺（所定の範囲）を撮影する。また、カメラ１１１は、ビデオカメラで撮影された画像内に存在するユーザを検知する。それによって、画像形成装置１０１は、画像形成装置１０１の周辺（所定の範囲）に存在するユーザを検知する。なお、ユーザを撮影した画像に含まれるユーザを検知する技術は、公知の技術を用いることができる。
電源制御部１１６は、商用電源から直流電源を生成し、画像形成装置１０１の各部に供給する電力を制御する。さらに、コントローラ１０４、又は個人特定認証部１１０からのオン／オフ制御信号に応じて、画像形成装置１０１が備える各部（各ユニット）に供給する直流電源を、各々にオン／オフ制御可能なスイッチを備えている。ここで、各部とは、例えば、スキャナ部１０２や、プリンタ部１０３、コントローラ部１０４、操作部１０８、個人認証特定部１１０である。
【００１５】
なお、図２に示すテーブルは、顔認証データ保存部１１５に保存されるものとして説明したが、ＨＤＤ１０９に保存されていてもよい。
【００１６】
次に、図１に示した画像形成装置１０１の電力制御の動作を、図３のフローチャートを参照しつつ説明する。なお、図３のフローチャートに示す各ステップは、ＣＰＵ１０５あるいは顔認証制御部１１３がメモリ１０６あるいは顔認証制御部１１３が備えるメモリに記憶されたプログラムを実行することによって実現される。
また、本実施形態では、図２に示したテーブルの操作者名データで特定される「ＡＢＣ」という名前の人が所有するコンピュータ端末「ＡＡ１１」から印刷を実行し、本構成の画像形成装置１０１の排紙部に排紙された印刷物を取りにきた場合のフローである。
【００１７】
まず、Ｓ１０１で、ＣＰＵ１０５は、インタフェース１０７を介して、コンピュータ端末１１７から印刷ジョブを受信すると、ＨＤＤ１０９に格納する。また、ＣＰＵ１０５は、印刷ジョブをメモリ１０６を用いて解析し、イメージデータに展開し、これをＨＤＤ１０９に蓄積する。また、ＣＰＵ１０５は、印刷ジョブを送信したコンピュータ端末１１７のＩＰアドレスも受信し、ＨＤＤ１０９に記憶された印刷ジョブのイメージデータに対応付けて、ＨＤＤ１０９に記憶する。なお、ＣＰＵ１０７は、コンピュータ端末１１７のＩＰアドレスを、印刷ジョブと別にコンピュータ端末１１７から受信するのではなく、印刷ジョブに含まれる情報として受信しても良い。
次に、Ｓ１０２で、ＣＰＵ１０５は、ＨＤＤ１０９に蓄積されたイメージデータをプリンタ部１０３に出力し、プリンタ部１０３は受け取ったイメージデータを順次記録紙に印刷する。また、同時に、ＣＰＵ１０５は、Ｓ１０１で取得したＩＰアドレスと図２に示したテーブルの個人データとを比較することにより、印刷ジョブを送信したユーザを判別することができる。例えば、ＩＰアドレスが「ｘｘ．ｘｘ．ｘｘ．０」である場合、ＣＰＵ１０５は、印刷ジョブを送信したユーザが「ＡＢＣ」であることを容易に判別することができる。ＣＰＵ１０５は、印刷ジョブを送信したユーザがユーザ「ＡＢＣ」であると判別した場合、ユーザ「ＡＢＣ」の持ち出しフラグをＯＮ（１にセット）にする。
【００１８】
その後、Ｓ１０３で、ＣＰＵ１０５は、ＨＤＤ１０９に記憶された印刷データのプリンタ部１０３による印刷を行わせる。そして、印刷が終了すると、ＣＰＵ１０５は、新たな印刷ジョブを受付けない状態で、または、操作部１０８を介してユーザによる操作を受付けない状態で所定の時間が経過したことに応じて、画像形成装置１０１を低消費電力状態に移行する。この低消費電力状態とは、本実施形態では、個人特定認証部１１０とコントローラ１０４への電力が供給された状態を言い、スキャナ部１０２、プリンタ部１０３、操作部１０８への電力が供給されていない状態とする。
【００１９】
しかしながら、他に、個人特定認証部１１０へのみ電力が供給され、個人特定認証部１１０が備える顔認証部１１２が、Ｓ１０４〜Ｓ１０９の処理をする構成であってもよい。また、低消費電力状態を複数設け、ＣＰＵ１０５が、一定の時間経過後に各部の電力供給を順次ＯＦＦにしていく構成などでも良い。
即ち、スキャナ部１０２やプリンタ部１０３、コントローラ１０４、操作部１０８、個人特定認証部１１０への電力が供給された通常消費電力状態から少しでも低い消費電力状態へ移行することを低消費電力状態に移行するという。
次に、Ｓ１０４で、個人特定認証部１１０は、画像形成装置１０１の周囲に接近するユーザがいないか監視を行う。そして、カメラ１１１によって人物が認識された場合は、Ｓ１０５で、顔認証部１１２によって認識された人物の顔と顔認証データ保存部１１５に保存されている図２に示したテーブルで管理される顔データとの比較を行う。そして、顔認証部１１２は、比較の結果に基づいて、画像形成装置１０１の周辺に近づくユーザを識別する。ここで、ユーザを識別できない場合、画像形成装置１０１を通常消費電力状態に移行する。そして、Ｓ１０６へ進む。そして、Ｓ１０６で、顔認証制御部１１３は、識別されたユーザの持ち出しフラグの状態がＯＮ状態であるかどうかをＣＰＵ１０５が判断する。
【００２０】
ここで、もし、識別されたユーザの持ち出しフラグがＯＦＦであるとＣＰＵ１０５が判断した場合は、Ｓ１０７に処理を進める。
そして、Ｓ１０７で、ＣＰＵ１０５は、電源制御部１１６に、画像形成装置１０１の各部への電力供給を開始させることで、低消費電力状態から通常消費電力状態へ復帰させ、本処理を終了する。これは、画像形成装置１０１に近づいてきたユーザが、印刷ジョブを送信したユーザではなく、印刷ジョブの実行により排紙された印刷物を取りにきた可能性が低い場合の制御である。そのため、画像形成装置１０１を低消費電力状態から通常消費電力状態に移行させておく。それによって、ユーザは、画像形成装置１０１を通常消費電力状態に移行させるための指示を行わずとも、いち早く画像形成装置１０１が通常消費電力状態に移行し、画像形成装置１０１の利便性を向上させることができる。
【００２１】
一方、Ｓ１０６で、識別されたユーザの持ち出しフラグがＯＮ状態であるとＣＰＵ１０５が判断した場合、Ｓ１０８に処理を進める。
そして、Ｓ１０８で、ＣＰＵ１０５は、画像形成装置１０１を低消費電力状態から復帰させず、画像形成装置１０１の低消費電力状態を維持させる。また、この時、ＣＰＵ１０５は、識別されたユーザの持ち出しフラグをＯＦＦにして、本処理を終了する。これは、画像形成装置１０１に近づいてきたユーザが、印刷ジョブを送信したユーザであり、当該ユーザが印刷ジョブの実行により排紙された印刷物を取りにきた可能性が高いことを考慮した制御である。このような場合、画像形成装置１０１を低消費電力状態で維持させることができるため、消費電力を小さく抑えることができる。
【００２２】
以上のように制御することによって、画像形成装置１０１に近づいてきたユーザを検知したことに応じて、画像形成装置１０１を低消費電力状態から通常消費電力状態に移行させることができる。それによって、画像形成装置１０１におけるユーザの利便性を向上させることができる。
また、画像形成装置１０１に近づいてきたユーザが、コンピュータ端末１１７から印刷ジョブの印刷物を取りにきただけである可能性が高い場合に、画像形成装置１０１の低消費電力状態を維持することができる。それによって、画像形成装置１０１における消費電力を抑えることができる。
なお、Ｓ１０５で比較した結果が顔認証データ保存部１１５に保存されている顔データとどれも一致しないとＣＰＵ１０５が判断した場合、ＣＰＵ１０５は次のように制御する。
この場合、ＣＰＵ１０５は、画像形成装置１０１を通常消費電力状態に移行する。それによって、未登録のユーザが画像形成装置１０１を利用する場合の利便性を向上させることができる。
あるいは、ＣＰＵ１０５は、画像形成装置１０１を通常消費電力状態に移行せず、低消費電力状態のまま維持してもよいし、低消費電力状態を維持するか否かをユーザが操作部１０８を介して予め設定できるようにしてもよい。
【００２３】
〔第２実施形態〕
第２実施形態において、第１実施形態と異なる点は、図１における個人特定認証部１１０である。また、第２実施形態における個人特定認証部１１０の例を図４に示す。また、本例は、印刷ジョブとして、コンピュータ端末１１７がセキュアプリントを指定した例である。
【００２４】
図４は、図１に示した個人特定認証部１１０の他の構成例を説明するブロック図である。なお、第１実施形態においては、カメラ１１１で撮影したユーザの顔を用いて個人の特定を行ったが、第２実施形態では、非接触で情報の読み出しが可能なＲＦＩＤ（RFIDタグ）システムを用いる。なお、ＲＦＩＤシステムは、Ｒａｄｉｏ  Ｆｒｅｑｕｅｎｃｙ  Ｉｄｅｎｔｉｆｉｃａｔｉｏｎ  Ｓｙｓｔｅｍの略である。
このＲＦＩＤシステムとは、媒体に電波・電磁波を用いたＩＤシステムであり、電磁結合方式、電磁誘導方式、マイクロ波方式、光方式などがある。
例えば、電磁誘導方式は、主に２５０Ｋ以下、あるいは１３．５６ＭＨｚ帯の長・中波帯の電磁波を利用して、ＩＣタグリーダライタ２０１とＩＣタグ２０６との間で交信を行うものである。ＩＣタグリーダライタ２０１は、ＩＣタグ２０６が無線通信可能な範囲に存在する場合に、ＩＣタグ２０６に記憶されたＩＤデータを読み出す。また、ＩＣタグリーダライタ２０１は、ＩＣタグ２０６が無線通信可能な範囲に存在する場合に、ＩＣタグ２０６にデータを記憶させる。なお、ＩＤカード２０５は、画像形成装置１０１を使用するユーザが携帯するものとする。
【００２５】
ＩＣタグ認証部２０２は、ＩＣタグ認証制御部２０３、ＩＣタグ認証データ保存部２０４を有する。ＩＣタグ認証制御部２０３は、ＩＣタグリーダライタ２０１により取得された各ＩＣタグ毎に異なるＩＤデータに基づいて個人認証を行う。ＩＣタグ認証データ保存部２０４には、図５に示すような個人データ情報が保存されている。
【００２６】
また、非接触でＩＤカードへの情報の読み取り／書き込みが可能な範囲は、ＩＤタグリーダライタ２０１から半径１ｍ程度とする。
次に、第２実施形態に示す画像形成装置１０１の電力制御の動作を、図５に示すテーブル及び図６に示すフローチャートを参照して説明する。なお、図６において、Ｓ２０１〜Ｓ２１３は各ステップを示し、ＣＰＵ１０５またはＩＣタグ認証制御部２０３がメモリ１０６またはＩＣタグ認証制御部２０３が備えるメモリに記憶されたプログラムを実行することによって実現される。
また、Ｓ２０１、Ｓ２０４、Ｓ２０５、Ｓ２０６については、第１実施形態とほぼ同様の処理であるため省略する。相違点として、Ｓ２０１で、ＣＰＵ１０５は、パスワードが指定されたセキュアプリントジョブを受信可能である点である。
【００２７】
Ｓ２０２で、画像形成装置１０１のＣＰＵ１０５は、受信した印刷ジョブがセキュアプリントジョブであるか否かの判定を行い、セキュアプリントジョブであるとＣＰＵ１０５が判断した場合は、Ｓ２０３へ進む。そして、Ｓ２０３で、ＣＰＵ１０５はすぐに印刷は行わず、コンピュータ端末１１７のＩＰアドレスと図５に示すテーブルとを比較して、印刷ジョブを送信したユーザを識別する。つまり、このＩＰアドレスは、ユーザが操作するコンピュータ端末１１７及びユーザを識別するための識別情報として用いられる。そして、ＣＰＵ１０５は、識別されたユーザのセキュアプリントフラグと持ち出しフラグをＯＮにして、Ｓ２０６へ進む。なお、図５に示すテーブルは、ＩＣタグ認証データ保存部２０４に記憶されている例を説明したが、ＨＤＤ１０９に記憶されていてもよい。
ここで、セキュアプリントジョブとは、印刷ジョブを送信する際に、当該印刷ジョブに対応付けて、ユーザによって入力されたパスワードを送信するプリンタドライバをコンピュータ端末１１７にインストールしておく。そして、コンピュータ端末１１７が、当該プリンタドライバを用いて印刷ジョブとパスワードを画像形成装置１０１に送信することにより、印刷ジョブとパスワードが画像形成装置１０１に送信される。
このようにして印刷ジョブデータとパスワードを受信した画像形成装置１０１は、すぐに印刷処理を開始するのではなく、これら印刷ジョブデータとパスワードのデータを一旦、画像形成装置１０１内の記憶装置、例えばＨＤＤ１０９に保存する。
【００２８】
ユーザが、この印刷ジョブデータに従った印刷を画像形成装置１０１に行わせたい場合には次のような操作を行う。
まず、画像形成装置１０１に備わっている操作部１０８を用いて、例えばＨＤＤ１０９に保存されている印刷ジョブに関わる印刷ジョブリストを操作部１０８上に表示させる。
そして、ユーザは、操作部１０８に表示されたジョブリストより目的の印刷ジョブを選択し、パスワードの入力を行う。パスワードが入力されると、画像形成装置１０１のＣＰＵ１０５はユーザが操作部１０８から入力したパスワードと、印刷ジョブデータと共に記憶装置に記憶しているパスワードとが一致するか否かを判断する。ＣＰＵ１０５は、パスワードが一致すると判断した場合にのみ、この印刷ジョブを実行し、印刷処理を開始する。一方、パスワードが一致しない場合、ＣＰＵ１０５は、印刷ジョブを実行せずに、操作部１０８にエラーメッセージを表示する。
【００２９】
このとき、操作者は画像形成装置１０１の前にすでにいるので、第三者に見られることなく、また第三者に盗まれることなく、目的の機密文書を受け取ることが可能となる。なお、本実施形態では、このパスワードの代わりに、ユーザを識別するためのＩＤデータを用いる。また、ユーザは、画像形成装置１０１に記憶されたセキュアプリントジョブを実行するために、操作部１０８を介してＩＤデータを入力してもよいが、それに加えて、次のような方法を用いることもできる。ユーザは、ＩＤカード２０５に記憶されたＩＤデータを画像形成装置１０１のＩＣカードリーダライタ２０１にＩＣカード２０５を近づける。画像形成装置１０１のＣＰＵ１０５は、ＩＣカードリーダライタ２０１を介してＩＣカード２０５内のＩＤデータを読み取る。そして、読み取ったＩＤデータと同じＩＤデータに対応するセキュアプリントジョブを実行する。また、ＣＰＵ１０５は、異なるＩＤデータに対応するセキュアプリントジョブを実行しない。
図６のフローチャートに説明を戻す。Ｓ２０７で、ＣＰＵ１０５は、ＩＣタグリーダライタ２０１によって読み出されたＩＤカード２０５のＩＤデータとＩＣタグ認証データ保存部２０４に保存されている図５に示したＩＤデータとを比較する。そして、比較の結果、ＩＣタグ認証データ保存部２０４に保存されているＩＤデータのなかに、一致するＩＤデータがあるかどうかをＣＰＵ１０５が判断する。
【００３０】
ここで、ＩＣタグ認証データ保存部２０４に保存されているＩＤデータと一致するＩＤデータがあると判断した場合、ＣＰＵ１０５は、当該ＩＤデータに従ってユーザを識別して、Ｓ２０８に進む。Ｓ２０８で、ＣＰＵ１０５は、識別されたユーザの持ち出しフラグの状態がＯＮ状態であるかどうかを確認する。ここで、持ち出しフラグがＯＦＦであるとＣＰＵ１０５が判断した場合、Ｓ２０９へ進む。そして、Ｓ２０９で、画像形成装置１０１を低消費電力状態から通常消費電力状態に復帰させ、本処理を終了する。これは、ＩＤカード２０５を携帯するユーザが、操作部を操作する可能性が高い場合の制御である。そのため、画像形成装置１０１を低消費電力状態から通常消費電力状態に移行させておく。それによって、ユーザは、画像形成装置１０１を通常消費電力状態に移行させるための指示を行わずとも、いち早く画像形成装置１０１が通常消費電力状態に移行し、画像形成装置１０１の利便性を向上させることができる。
【００３１】
一方、Ｓ２１０で、持ち出しフラグがＯＮ状態であるとＣＰＵ１０５が判断した場合は、Ｓ２１０へ進む。
そして、Ｓ２１０で、ＣＰＵ１０５は、識別されたユーザのセキュアプリントフラグの状態を確認し、識別されたユーザがセキュアプリントを実行したユーザか否かの判定を行う。ここで、セキュアプリントを実行していないユーザであるとＣＰＵ１０５が判断した場合は、Ｓ２１１へ処理を進める。
そして、Ｓ２１１で、ＣＰＵ１０５は、画像形成装置１０１を低消費電力状態から通常消費電力状態に復帰せず、Ｓ２１３で、ＣＰＵ１０５は、持ち出しフラグをＯＦＦにして、本処理を終了する。これは、ＩＤカード２０５を携帯するユーザが、操作部を操作する可能性が低く、画像形成装置１０１の排紙部に排紙された印刷物を取りにきただけの可能性が高い場合の制御である。このような場合、画像形成装置１０１を低消費電力状態で維持させることができるため、消費電力を小さく抑えることができる。
【００３２】
一方、Ｓ２１０で、セキュアプリントを実行したユーザであるとＣＰＵ１０５が判断した場合は、Ｓ２１２へ進む。そして、Ｓ２１２で、ＣＰＵ１０５はセキュアプリントジョブの印刷を開始する。具体的に、ＣＰＵ１０５は、ＩＤカード２０５から読み出したＩＤデータが、セキュアプリントジョブのＩＤデータと一致する場合に、当該セキュアプリントジョブを実行する。この場合に、ＣＰＵ１０５は、セキュアプリントジョブの実行に必要なユニットであるプリント部１０３への電力を電源制御部１１６に供給させ、セキュアプリントジョブを実行すればよい。この際に、操作部１０８やスキャナ部１０２への電力供給は行われないことによって、セキュアプリントジョブを実行しつつ、セキュアプリントジョブの実行に必要のないユニットへの電力を節減することができる。なお、ＣＰＵ１０５は、セキュアプリントジョブの実行完了後、所定の時間が経過したことに応じて、電源制御部１１６に、プリント部１０３への電力を遮断するよう制御すればよい。その後、Ｓ２１３で、ＣＰＵ１０５は持ち出しフラグをＯＦＦにし、本処理を終了する。
以上説明したとおり、本実施形態では、個人特定認証部としてＲＦＩＤシステムを用いた点、及び、セキュアプリントジョブの処理を追加した点が、第１実施形態と異なる。しかし、本発明は、これら第１、第２実施形態に限定されるものではなく、第１、第２実施形態に記載された構成を自由に組み合わせたものも、その範囲に含まれるものとする。
以上のように制御することによって、画像形成装置１０１に近づいてきたユーザを検知したことに応じて、画像形成装置１０１を低消費電力状態から通常消費電力状態に移行させることができる。それによって、画像形成装置１０１におけるユーザの利便性を向上させることができる。
また、画像形成装置１０１に近づいてきたユーザが、コンピュータ端末１１７から印刷ジョブの印刷物を取りにきただけである可能性が高い場合に、画像形成装置１０１の低消費電力状態を維持することができる。それによって、画像形成装置１０１における消費電力を抑えることができる。
なお、上述した実施形態では、画像形成装置１０１が、印刷ジョブを受付けない状態で、または、操作部１０８を介してユーザによる操作を受付けない状態で所定の時間が経過したことに応じて低消費電力状態に移行する例を説明した。この所定の時間は、１０分や５分等に設定することができる。当該所定の時間は、予め画像形成装置１０１に設定された値を用いてもよく、ユーザが操作部１０８を操作して変更できるようにしてもよい。
また、上述した実施形態において、画像形成装置１０１（印刷装置）がスキャナ部１０２、プリンタ部１０３を備える複合機として説明したが、スキャナ部１０２を備えず、プリンタ部１０３を備えるプリンタであってもよい。
【００３３】
また、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコード及び該プログラムコードを記憶した記憶媒体は本発明を構成することになる。
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００３４】
１０１            画像形成装置
１０２            スキャナ部
１０３            プリンタ部
１０４            コントローラ
【図１】
0005451242.tif 000002
【図２】
0005451242.tif 000003
【図３】
0005451242.tif 000004
【図４】
0005451242.tif 000005
【図５】
0005451242.tif 000006
【図６】
0005451242.tif 000007